(57)【要約】【課題】編集後における画像情報の視認性を向上させることができる画像処理装置を提供すること。【解決手段】テキスト情報を保持した状態の画像情報を表示可能な表示部７１１と、表示部７１１の表示領域に表示された画像情報において選択された範囲を画像情報の選択範囲として設定する範囲設定部９０１と、範囲設定部９０１により設定された選択範囲における画像情報の編集内容を設定する内容設定部９０２と、選択範囲における画像情報に保持されるテキスト情報及び内容設定部９０２により設定された画像情報の編集内容に基づいて、選択範囲における画像情報を編集する編集部９０３と、編集部９０３により編集された画像情報を表示部７１１に表示させる表示制御部９０４と、を備える。【選択図】図２
2013030916.tif 000002
【特許請求の範囲】
【請求項１】
テキスト情報を保持した状態の画像情報を表示可能な表示部と、
前記表示部の表示領域に表示された前記画像情報において選択された範囲を前記画像情報の選択範囲として設定する範囲設定部と、
前記範囲設定部により設定された前記選択範囲における前記画像情報の編集内容を設定する内容設定部と、
前記選択範囲における前記画像情報に保持される前記テキスト情報及び前記内容設定部により設定された前記画像情報の編集内容に基づいて、前記選択範囲における前記画像情報を編集する編集部と、
前記編集部により編集された前記画像情報を前記表示部に表示させる表示制御部と、
を備える画像処理装置。
【請求項２】
前記内容設定部により設定される編集内容は、前記画像情報の拡大、前記画像情報の縮小、前記画像情報の文字のフォントの変更、前記画像情報の色の変更及び前記画像情報の濃度の変更のうちのいずれか１つ以上であり、
前記編集部は、前記内容設定部により設定された編集内容に基づいて、前記選択範囲における前記画像情報を編集する
請求項１に記載の画像処理装置。
【請求項３】
前記内容設定部により設定される編集内容は、前記画像情報の拡大であり、
前記編集部は、前記選択範囲における前記画像情報を拡大すると共に、前記選択範囲の範囲外の前記画像情報に保持される前記テキスト情報に基づいて、前記選択範囲の範囲外の前記画像情報の全てを前記表示部の前記表示領域に表示させるように、前記選択範囲の範囲外における前記画像情報を編集する
請求項２に記載の画像処理装置。
【請求項４】
前記表示部の前記表示領域のサイズ及び前記選択範囲のサイズに基づいて、前記画像情報を拡大する際における前記選択範囲の前記画像情報の拡大サイズ又は拡大率の上限を設定する上限設定部を更に備え、
前記内容設定部は、前記上限設定部により設定された拡大サイズ又は拡大率の上限よりも大きい前記選択範囲の前記画像情報の拡大サイズ又は拡大率を設定できない
請求項３に記載の画像処理装置。
【請求項５】
請求項１から４のいずれかに記載の画像処理装置を備える画像形成装置。
【発明の詳細な説明】
【技術分野】
【０００１】
本発明は、画像処理装置及びこれを備えた画像形成装置に関する。
【背景技術】
【０００２】
従来、原稿読取部と、原稿読取部で読み取った原稿の画像情報を表示可能な表示部と、表示部に表示された画像情報を編集する編集部とを備える画像処理装置が提案されている（例えば、特許文献１参照）。
特許文献１に記載の画像処理装置は、原稿を原稿読取部で読み取り、原稿読取部で読み取った原稿の画像情報を表示部に表示させて、表示部上において、選択された範囲の画像情報を拡大又は縮小するものである。
【先行技術文献】
【特許文献】
【０００３】
【特許文献１】特開２００６−１２６４０１号公報
【発明の概要】
【発明が解決しようとする課題】
【０００４】
しかし、特許文献１に記載の画像処理装置においては、原稿読取部で読み取った画像情報そのものを拡大又は縮小するため、画像情報を拡大又は縮小することにより画像情報が劣化する可能性がある。そのため、表示部に表示された画像情報を拡大又は縮小すると、文字等の画像情報の視認性が低下する可能性がある。従って、拡大又は縮小（編集）後における画像情報の視認性を向上させることができる画像処理装置が望まれている。
【０００５】
本発明は、表示部に表示された画像情報を編集する編集部を備え、編集後における画像情報の視認性を向上させることができる画像処理装置を提供することを目的とする。
また、本発明は、前記画像処理装置を備える画像形成装置を提供することを目的とする。
【課題を解決するための手段】
【０００６】
本発明は、テキスト情報を保持した状態の画像情報を表示可能な表示部と、前記表示部の表示領域に表示された前記画像情報において選択された範囲を前記画像情報の選択範囲として設定する範囲設定部と、前記範囲設定部により設定された前記選択範囲における前記画像情報の編集内容を設定する内容設定部と、前記選択範囲における前記画像情報に保持される前記テキスト情報及び前記内容設定部により設定された前記画像情報の編集内容に基づいて、前記選択範囲における前記画像情報を編集する編集部と、前記編集部により編集された前記画像情報を前記表示部に表示させる表示制御部と、を備える画像処理装置に関する。
【０００７】
また、前記内容設定部により設定される編集内容は、前記画像情報の拡大、前記画像情報の縮小、前記画像情報の文字のフォントの変更、前記画像情報の色の変更及び前記画像情報の濃度の変更のうちのいずれか１つ以上であり、前記編集部は、前記内容設定部により設定された編集内容に基づいて、前記選択範囲における前記画像情報を編集することが好ましい。
【０００８】
また、前記内容設定部により設定される編集内容は、前記画像情報の拡大であり、前記編集部は、前記選択範囲における前記画像情報を拡大すると共に、前記選択範囲の範囲外の前記画像情報に保持される前記テキスト情報に基づいて、前記選択範囲の範囲外の前記画像情報の全てを前記表示部の前記表示領域に表示させるように、前記選択範囲の範囲外における前記画像情報を編集することが好ましい。
【０００９】
また、前記表示部の前記表示領域のサイズ及び前記選択範囲のサイズに基づいて、前記画像情報を拡大する際における前記選択範囲の前記画像情報の拡大サイズ又は拡大率の上限を設定する上限設定部を更に備え、前記内容設定部は、前記上限設定部により設定された拡大サイズ又は拡大率の上限よりも大きい前記選択範囲の前記画像情報の拡大サイズ又は拡大率を設定できないことが好ましい。
【００１０】
また、本発明は、前記画像処理装置を備える画像形成装置に関する。
【発明の効果】
【００１１】
本発明によれば、表示部に表示された画像情報を編集する編集部を備え、編集後における画像情報の視認性を向上させることができる画像処理装置を提供することができる。
また、本発明によれば、前記画像処理装置を備える画像形成装置を提供することができる。
【図面の簡単な説明】
【００１２】
【図１】コピー機１の全体構成を説明するための図である。
【図２】コピー機１の機能構成を示すブロック図である。
【図３】コピー機１の操作部７０の構成を示す図である。
【図４】選択範囲の画像情報を拡大する場合について説明する図である。
【図５】選択範囲の画像情報を拡大サイズの上限に拡大した場合について説明する図である。
【図６】本発明のコピー機１の画像処理装置１００の動作を説明するフローチャートである。
【図７】コピー機１の他の実施形態であって、選択範囲の画像情報を縮小する場合について説明する図である。
【発明を実施するための形態】
【００１３】
以下、図面を参照して、本発明の情報処理装置の一実施形態について説明する。なお、本実施形態では、情報処理装置が画像形成装置の一例であるコピー機に搭載された場合について説明する。このため、まず、コピー機について説明する。図１は、コピー機１の全体構成を説明するための図である。
【００１４】
コピー機１は、原稿搬送部１０と、原稿読取部２０と、用紙搬送部３０と、画像形成部４０と、転写部５０と、定着部６０とを備える。
原稿搬送部１０は、ＡＤＦ（Ａｕｔｏｍａｔｉｃ  Ｄｏｃｕｍｅｎｔ  Ｆｅｅｄｅｒ）であり、原稿載置部１１と、第１送りローラー１２と、ガイド１３と、タイミングローラー対１４と、原稿排出部１５とを備える。第１送りローラー１２は、原稿載置部１１に載置された原稿Ｇを１枚ずつ順にタイミングローラー対１４に供給する。タイミングローラー対１４は、原稿読取部２０が原稿Ｇの画像を読み取るタイミングと、原稿Ｇの画像が原稿読取部２０によって読み取られる位置（ガイド１３が配置されている位置）に原稿Ｇを供給するタイミングとを合わせるために、原稿Ｇの搬送又は原稿Ｇの搬送停止を行う。ガイド１３は、搬送された原稿Ｇを後述する第１読取面２１ａに導く。原稿排出部１５は、原稿読取部２０によって画像が読み取られた（ガイド１３を通過した）原稿Ｇをコピー機本体２の外部に排出する。
原稿排出部１５におけるコピー機本体２の外側には、原稿集積部１６が形成される。原稿集積部１６には、原稿排出部１５から排出された原稿Ｇが積層して集積される。
【００１５】
原稿読取部２０は、第１読取面２１ａと、第２読取面２２ａとを備える。第１読取面２１ａは、ガイド１３に対向して配置された第１コンタクトガラス２１の上面に沿って形成され、原稿Ｇの画像を読み取る面となる。第２読取面２２ａは、第１読取面２１ａに隣接して（図１に示す場合では、第１読取面２１ａの右側の大部分に亘って）配置される。第２読取面２２ａは、原稿搬送部１０を用いずに原稿Ｇの画像を読み取る場合に用いられる。第２読取面２２ａは、原稿Ｇが載置される第２コンタクトガラス２２の上面に沿って形成され、原稿Ｇの画像を読み取る面となる。
【００１６】
また、原稿読取部２０は、照明部２３と、第１ミラー２４と、第２ミラー２５と、第３ミラー２６と、結像レンズ２７と、撮像部２８とをコピー機本体２の内部に備える。照明部２３と第１ミラー２４とは、それぞれ副走査方向Ｘに移動する。第２ミラー２５と第３ミラー２６とは、図１において照明部２３及び第１ミラー２４の左側に配置される。さらに、第２ミラー２５及び第３ミラー２６は、第１ミラー２４と、第２ミラー２５と、第３ミラー２６と、結像レンズ２７とを介した第１読取面２１ａ又は第２読取面２２ａから撮像部２８までの距離（光路長）を一定に保ちつつ、それぞれ副走査方向Ｘに移動する。
【００１７】
照明部２３は、原稿Ｇに光を照射する光源である。第１ミラー２４、第２ミラー２５及び第３ミラー２６は、光路長を一定に保ちつつ、原稿Ｇによって反射された光を結像レンズ２７に導くためのミラーである。結像レンズ２７は、第３ミラー２６から入射した光を撮像部２８に結像させる。撮像部２８は、入射された光を電気信号に変換することにより、結像された光像に基づいて画像データを得るための撮像素子であり、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等のイメージセンサーである。
【００１８】
用紙搬送部３０は、第２送りローラー３１と、第３送りローラー３２と、レジストローラー対３３と、用紙排出部３４とを備える。第２送りローラー３１は、給紙カセット３６に収容される用紙Ｔを転写部５０に供給する。第３送りローラー３２は、手差しトレイ３７に載置される用紙Ｔを転写部５０に供給する。レジストローラー対３３は、転写部５０にトナー画像が形成されるタイミングと、転写部５０に用紙Ｔを供給するタイミングとを合わせるために、用紙Ｔの搬送又は用紙Ｔの搬送停止を行う。また、レジストローラー対３３は、用紙Ｔのスキュー（斜め給紙）補正を行う。用紙排出部３４は、トナー画像が定着された用紙Ｔをコピー機本体２の外部に排出する。
用紙排出部３４におけるコピー機本体２の外側には、排紙集積部３５が形成される。排紙集積部３５には、用紙排出部３４から排出された用紙Ｔが積層して集積される。
【００１９】
画像形成部４０は、感光体ドラム４１と、帯電部４２と、レーザースキャナーユニット４３と、現像器４４と、クリーニング部４５と、トナーカートリッジ４６と、１次転写ローラー４７と、中間転写ベルト４８と、対向ローラー４９とを備える。
感光体ドラム４１（４１ａ，４１ｂ，４１ｃ，４１ｄ）は、ブラック、シアン、マゼンタ及びイエローそれぞれのトナー画像を形成するために、感光体又は像担持体として機能する。各感光体ドラム４１ａ，４１ｂ，４１ｃ，４１ｄの周囲には、感光体ドラム４１の回転方向に沿って上流側から下流側へ順に、帯電部４２と、レーザースキャナーユニット４３と、現像器４４と、クリーニング部４５とが配置される。帯電部４２は、感光体ドラム４１の表面を帯電させる。レーザースキャナーユニット４３は、感光体ドラム４１の表面から離れて配置され、原稿読取部２０によって読み取られた原稿Ｇに関する画像データに基づいて感光体ドラム４１の表面を走査露光する。これにより、感光体ドラム４１の表面には、露光された部分の電荷が除去されて静電潜像が形成される。現像器４４は、感光体ドラム４１の表面に形成された静電潜像にトナーを付着させてトナー画像を形成する。クリーニング部４５は、除電器（図示せず）によって感光体ドラム４１の表面が除電された後のその表面に残るトナー等を除去する。
トナーカートリッジ４６は、現像器４４に供給される各色のトナーを収容する。トナーカートリッジ４６と現像器４４とは、トナー供給路（図示せず）により接続されている。
【００２０】
１次転写ローラー４７（４７ａ，４７ｂ，４７ｃ，４７ｄ）は、中間転写ベルト４８における各感光体ドラム４１ａ，４１ｂ，４１ｃ，４１ｄとは反対側にそれぞれ配置される。中間転写ベルト４８は、画像形成部４０及び転写部５０を通過するベルトである。中間転写ベルト４８の一部分は、各感光体ドラム４１ａ，４１ｂ，４１ｃ，４１ｄと各１次転写ローラー４７ａ，４７ｂ，４７ｃ，４７ｄとの間に挟み込まれ、各感光体ドラム４１ａ，４１ｂ，４１ｃ，４１ｄの表面に形成されたトナー画像が１次転写される。対向ローラー４９は、環状形状の中間転写ベルト４８の内側に配置され、中間転写ベルト４８を図１に示す矢印Ａ方向に進行させるための駆動ローラーである。
【００２１】
転写部５０は、２次転写ローラー５１を備える。２次転写ローラー５１は、中間転写ベルト４８における対向ローラー４９とは反対側に配置され、中間転写ベルト４８の一部分を対向ローラー４９との間に挟みこむ。さらに、２次転写ローラー５１は、中間転写ベルト４８に１次転写されたトナー画像を用紙Ｔに２次転写させる。
【００２２】
定着部６０は、加熱回転体６１と、加圧回転体６２とを備える。加熱回転体６１と加圧回転体６２とは、トナー画像が２次転写された用紙Ｔを挟み込んで、トナーを溶融及び加圧し、そのトナーを用紙Ｔに定着させる。
【００２３】
次に、コピー機１の機能構成について説明する。図２は、コピー機１の機能構成を示すブロック図である。
コピー機１は、上述した構成要素（原稿搬送部１０、原稿読取部２０、用紙搬送部３０、画像形成部４０、転写部５０及び定着部６０）を備える。用紙搬送部３０、画像形成部４０、転写部５０及び定着部６０によりエンジン部３が構成される。なお、図１を用いて説明した構成要素については、その説明を省略する。
さらに、コピー機１は、上述した機能構成に加えて、操作部７０と、記憶部８０と、制御部９０とを備える。
【００２４】
操作部７０は、タッチパネル７１、テンキー７２（図３参照）、及びスタートキー７３（図３参照）等を備える。タッチパネル７１は、種々の機能（一例として、印刷倍率の設定機能や、複数のページを１枚の用紙Ｔに割り付ける機能（２ｉｎ１等）や、画像情報を編集する際における編集内容の設定機能）が割り当てられた複数のキー等を表示する。タッチパネル７１に表示されたキーは、種々の機能のうちのいずれかをコピー機１に実行させるために操作される。テンキー７２は、印刷部数等の数字を入力するために操作される。スタートキー７３は、印刷を実行させるために操作される。操作部７０は、いずれかのキーが操作されることにより、このキーが操作されたことを表す信号を制御部９０に供給する。
【００２５】
記憶部８０は、ハードディスクや半導体メモリー等から構成される。記憶部８０は、原稿読取部２０によって読み取られた原稿Ｇに基づく画像データを記憶する。また、記憶部８０は、コピー機１において利用される制御プログラム、及びこの制御プログラムによって利用されるデータ等を記憶する。
【００２６】
制御部９０は、原稿搬送部１０、原稿読取部２０、エンジン部３、操作部７０等を制御する。
【００２７】
ここで、上記操作部７０、上記記憶部８０及び上記制御部９０を主な構成として、画像処理装置１００が構成されている。画像処理装置１００について説明する。図３は、コピー機１の操作部７０の構成を示す図である。図４は、選択範囲の画像情報を拡大する場合について説明する図である。図５は、選択範囲の画像情報を拡大サイズの上限に拡大した場合について説明する図である。
操作部７０、記憶部８０及び制御部９０について詳述する。操作部７０は、タッチパネル７１を備える。タッチパネル７１は、表示部７１１と、検知部７１２とを有する。
【００２８】
表示部７１１は、テキスト情報を保持した状態の画像情報を表示可能である。テキスト情報を保持した状態の画像情報とは、文字コードによって表されるデータが含まれる画像情報である。
本実施形態においては、テキスト情報を保持した状態の画像情報を「テキスト形式の画像情報」ともいう。一方、テキスト情報を含まない画像情報を「画像形式の画像情報」ともいう。画像形式の画像情報としては、例えば、ＢＭＰ（ｂｉｔｍａｐ）形式の画像情報、ＴＩＦＦ（Ｔａｇｇｅｄ  Ｉｍａｇｅ  Ｆｉｌｅ  Ｆｏｒｍａｔ）形式の画像情報、ＧＩＦ（Ｇｒａｐｈｉｃｓ  Ｉｎｔｅｒｃｈａｎｇｅ  Ｆｏｒｍａｔ）形式の画像情報等がある。
【００２９】
表示部７１１には、図３に示すように、アイコン１１０を複数表示することが可能である。アイコン１１０は、表示部７１１に表示されるボタンのことである。
【００３０】
検知部７１２は、表示部７１１に対する接触物の接触を検知する。接触物は、ユーザの指やスタイラスと呼ばれる入力用ペン１１１（図３参照）等である。検知部７１２は、接触物による表示部７１１への接触を検知した場合に、接触物が接触した位置を示す位置情報を制御部９０に出力する。検知部７１２の検出方式は、例えば、抵抗膜式や静電容量式等である。
【００３１】
制御部９０は、図２に示すように、範囲設定部９０１と、内容設定部９０２と、編集部９０３と、表示制御部９０４と、上限設定部９０５と、テキスト変換部９０６とを備える。
【００３２】
範囲設定部９０１は、表示部７１１の表示領域に表示された画像情報において選択された範囲を画像情報の選択範囲として設定する。具体的には、範囲設定部９０１は、表示部７１１に対する接触物の接触の軌跡により、表示部７１１の表示領域に表示された画像情報の所定範囲が選択された場合に、図４に示すように、その選択された範囲を画像情報の選択範囲Ｂとして設定する。なお、本実施形態においては、図３における「エリア指定」のアイコン１１０Ａが選択された場合に、範囲設定部９０１による画像情報の選択範囲の設定が可能な状態となる。
【００３３】
内容設定部９０２は、範囲設定部９０１により設定された選択範囲における画像情報の編集内容を設定する。内容設定部９０２により設定される編集内容としては、画像情報の拡大、画像情報の縮小、画像情報の文字のフォントの変更、画像情報の色の変更及び画像情報の濃度の変更等がある。なお、編集内容には、各種編集における詳細な編集内容（例えば、画像情報の拡大が選択された場合における文字の大きさの設定や、画像情報の文字のフォントの変更が選択された場合における文字のフォントの種類の設定等）が含まれる。
【００３４】
本実施形態においては、図３に示すように、編集内容を設定可能なアイコン１１０として、表示部７１１には、画像情報の選択範囲を設定可能な状態に設定する機能を有する「エリア指定」のアイコン１１０Ａ、画像情報の「拡大／縮小」を設定する機能を有するアイコン１１０Ｂ、「文字のフォントの変更」を設定する機能を有するアイコン１１０Ｃ、「画像情報の色の変更」を設定する機能を有するアイコン１１０Ｄ、「画像情報の濃度の変更」を設定する機能を有するアイコン１１０Ｅが設けられている。また、これらのアイコン１１０のうちのいずれかが選択された場合に、アイコン１１０の右のスペースには、各機能を詳細に設定可能なアイコン１１０Ｆが出現する。例えば、図３に示すように、「拡大／縮小」を設定するアイコン１１０Ｂを選択した場合には、「拡大／縮小」を設定するアイコン１１０Ｂの右隣のスペースには、文字サイズを設定可能なアイコン１１０Ｆが出現する。
【００３５】
内容設定部９０２は、表示部７１１に対する入力用ペン１１１の接触により、表示部７１１に表示される所定のアイコン１１０が選択された場合に、選択されたアイコン１１０が有する機能にしたがって編集内容を設定する。
【００３６】
また、内容設定部９０２は、後述する上限設定部９０５により設定された拡大サイズ又は拡大率の上限よりも大きい選択範囲の画像情報の拡大サイズ又は拡大率を設定できない。これは、上限設定部９０５により設定された拡大サイズ又は拡大率の上限が、選択範囲の画像情報を最も大きく拡大した後において、選択範囲の範囲外の画像情報が欠落せずに表示部７１１に表示させることができる上限の文字サイズであるためである。
【００３７】
編集部９０３は、選択範囲における画像情報に保持されるテキスト情報及び内容設定部９０２により設定された画像情報の編集内容に基づいて、選択範囲における画像情報を編集する。編集部９０３は、選択範囲における画像情報について、例えば、画像情報の拡大や縮小、文字のフォントの変更、画像情報の色の変更、画像情報の濃度の変更等を実行することができる。
【００３８】
また、編集部９０３は、選択範囲における画像情報を拡大する場合には、選択範囲の範囲外の画像情報に保持されるテキスト情報に基づいて、選択範囲の範囲外の画像情報の全てを表示部７１１の表示領域に表示させるように、選択範囲の範囲外における画像情報を編集する。具体的には、編集部９０３は、表示部７１１の表示領域のサイズや選択範囲のサイズや選択範囲の位置に基づいて、選択範囲の範囲外における画像情報を縮小したり位置を調整したりする。これにより、編集部９０３は、選択範囲の範囲外の画像情報の欠落を防止する。
【００３９】
表示制御部９０４は、編集部９０３により編集された画像情報を表示部７１１に表示させる。具体的には、表示制御部９０４は、画像情報の拡大や縮小、文字のフォントの変更、画像情報の色の変更、画像情報の濃度の変更等がされた後の画像情報を、表示部７１１に表示させる。
【００４０】
上限設定部９０５は、表示部７１１の表示領域のサイズ及び選択範囲のサイズに基づいて、画像情報を拡大する際における選択範囲の画像情報の拡大サイズ又は拡大率の上限を設定する。拡大サイズとは、拡大した後の画像情報のサイズ（文字のサイズ）のことである。拡大率とは、拡大する前の画像情報のサイズに対する拡大した後の画像情報のサイズのことである。拡大サイズ及び拡大率は、拡大する前の画像情報のサイズに基づいて適宜設定される。
【００４１】
具体的には、上限設定部９０５は、選択範囲における画像情報を拡大する際において、画像情報の欠落を防止するため、画像情報を拡大する際における選択範囲の画像情報の拡大サイズ又は拡大率の上限を設定する。上限設定部９０５により設定される上限としては、例えば、編集後において、選択範囲の画像情報を最も大きく拡大した場合に、選択範囲の範囲外の画像情報が欠落せずに表示部７１１に表示される程度の拡大サイズ又は拡大率が設定される。本実施形態においては、拡大する際に設定可能な文字サイズの上限として、例えば、文字サイズ「１０ｐｔ（ポイント）」が設定される。本実施形態においては、文字サイズ「１０ｐｔ」は、図５に示すように、選択範囲の画像情報を最も大きく拡大した後において、選択範囲の範囲外の画像情報が欠落せずに表示部７１１に表示させることができる上限の文字サイズである。
【００４２】
テキスト変換部９０６は、原稿読取部２０によって読み取られた原稿Ｇの画像情報をテキスト形式の画像情報に変換する。テキスト変換部９０６は、原稿読取部２０によって読み取られた原稿Ｇの画像情報を認識するために、例えば、光学文字認識（ＯＣＲ：Ｏｐｔｉｃａｌ  Ｃｈａｒａｃｔｅｒ  Ｒｅｃｏｇｎｉｔｉｏｎ）機能を利用する。
【００４３】
記憶部８０は、編集部９０３により編集を実行する際の制御プログラム等を記憶する。記憶部８０は、選択範囲の画像情報を拡大する際における、選択範囲の範囲外の画像情報の縮小するための情報や、選択範囲の範囲外の画像情報を見やすく位置させるための配置に関する情報等を記憶する。
【００４４】
次に、本実施形態における画像処理装置１００の動作について、フローチャートを用いて説明する。図６は、本発明のコピー機１の画像処理装置１００の動作を説明するフローチャートである。本実施形態においては、表示部７１１に表示された画像情報を拡大する場合におけるフローについて説明する。
【００４５】
図６に示すように、ステップＳＴ１において、表示制御部９０４は、印刷する予定の画像情報を表示部７１１に表示させる。表示部７１１に表示される画像情報は、テキスト形式の画像情報である。このテキスト形式の画像情報は、例えば、原稿読取部２０により読み取られた原稿Ｇの画像をテキスト変換部９０６（例えばＯＣＲ等）によってテキスト形式の画像情報に変換されたものである。
本実施形態においては、画像情報を拡大する前において、図３及び図４（編集前）に示すように、表示部７１１に表示されたテキスト形式の画像情報における各々の文字それぞれの文字サイズは「６ｐｔ（ポイント）」である。
【００４６】
ステップＳＴ２において、範囲設定部９０１は、使用者により画像情報において選択された範囲を画像情報の選択範囲として設定する。具体的には、範囲設定部９０１は、「エリア指定」のアイコン１１０Ａが選択された後に、使用者により画像情報を拡大する範囲が選択されることにより、表示部７１１に表示される画像情報における選択範囲Ｂ（図４参照）を設定する。
【００４７】
ステップＳＴ３において、上限設定部９０５は、表示部７１１の表示領域のサイズ及び範囲設定部９０１により選択された選択範囲の画像情報のサイズに基づいて、画像情報を拡大する際における選択範囲の画像情報の拡大サイズ（拡大する文字サイズ）の上限を設定する。本実施形態においては、拡大する際に設定可能な文字サイズの上限として、例えば、文字サイズ「１０ｐｔ」が設定される。これは、文字サイズ「１０ｐｔ」が、図５に示すように、選択範囲の画像情報を最も大きく拡大した後において、選択範囲の範囲外の画像情報が欠落せずに表示部７１１に表示させることができる上限の文字サイズであるためである。
【００４８】
ステップＳＴ４において、内容設定部９０２は、使用者により「拡大／縮小」のアイコン１１０Ｂが選択され且つアイコン１１０Ｆにおいて文字サイズ「８ｐｔ」が選択されることで、選択範囲における編集内容を、「画像情報の拡大」且つ文字サイズ「８ｐｔ」に設定する。内容設定部９０２は、使用者が選択した文字サイズ「８ｐｔ」が上限設定部９０５により設定された拡大サイズの上限である文字サイズ「１０ｐｔ」以下であるため、編集内容として、「画像情報の拡大」且つ文字サイズ「８ｐｔ」が設定される。
【００４９】
なお、本実施形態においては、仮に使用者が上限設定部９０５により設定された拡大サイズの上限である「１０ｐｔ」よりも大きい値になるようにアイコン１１０Ｆを操作しても、使用者は、文字サイズを「１０ｐｔ」よりも大きい数字の文字サイズにすることができない。つまり、使用者が選択した文字サイズが上限設定部９０５により設定された拡大サイズの上限である「１０ｐｔ」よりも大きい場合には、内容設定部９０２は、編集内容を設定できない。これは、本実施形態においては、上限設定部９０５により設定される上限としての文字サイズ「１０ｐｔ」よりも文字サイズを大きくすると、選択範囲の範囲外の画像情報が欠落する可能性があるためである。
【００５０】
ステップＳＴ５において、編集部９０３は、内容設定部９０２により設定された編集内容に基づいて、範囲設定部９０１により設定された選択範囲の画像情報を編集する。本実施形態においては、図４に示すように、範囲設定部９０１により選択範囲Ｂが設定されている。内容設定部９０２により「画像情報の拡大」が設定され且つ画像情報の拡大サイズが文字サイズ「８ｐｔ」に設定されている。
【００５１】
ここでは、編集部９０３は、画像情報が保持するテキスト情報に基づいて、画像情報が選択された選択範囲Ｂの画像情報を文字サイズ「８ｐｔ」に拡大する。
更に、編集部９０３は、選択範囲Ｂの範囲外の文字サイズを縮小し且つ選択範囲Ｂの範囲外の文字の位置を調整する。詳細には、編集部９０３は、選択範囲Ｂの上下左右の範囲外の画像データが、選択範囲Ｂの画像情報が拡大された後に、拡大された画像情報と重ならずに且つ欠落せずに、表示部７１１の表示領域の領域内に表示されるように、画像情報を編集する。
【００５２】
選択範囲の範囲外の画像情報を縮小したり位置を調整することで、編集部９０３は、表示部７１１の表示領域に表示される画像情報に欠落がないように調整する。本実施形態においては、編集部９０３は、図４に示すように、選択範囲の画像情報を拡大した後において、選択範囲の範囲外の画像情報を、選択範囲Ｂに対して上下左右に位置する４つの画像情報のブロックに分割している。そして、編集部９０３は、分割された各ブロックを、選択範囲の画像情報に重ならずに表示部７１１の表示領域に表示できる範囲内において、各ブロック毎に縮小して且つ各ブロックが配置される領域の左側の上方側に位置させるように調整している。
【００５３】
ステップＳＴ６において、表示制御部９０４は、編集部９０３により編集された画像情報を表示部７１１に表示させる。これにより、選択範囲の画像情報を拡大することができると共に、選択範囲の範囲外の部分についても画像情報を欠落なく表示させることができる。このようにして、表示部７１１には、拡大する前における表示部７１１の表示領域に表示される全ての表示内容を表示させた状態で、選択範囲の画像情報を拡大して表示させることができる。その結果、画像形式の画像情報を拡大させた場合に比べて、表示部７１１に表示される画像情報において、編集後における画像情報の視認性を向上させることができる。
【００５４】
ステップＳＴ７において、使用者によりスタートキー７３が操作されることで、印刷が実行される。ここでは、拡大された画像情報を含む表示部７１１に表示された全ての画像情報は、表示部７１１に表示されたままの状態で印刷される。その後、処理は終了する。
【００５５】
以上説明したように、本実施形態の画像処理装置１００によれば、例えば、以下の効果が奏される。
本実施形態の画像処理装置１００は、テキスト形式の画像情報（テキスト情報を保持した状態の画像情報）を表示可能な表示部７１１と、表示部７１１の表示領域に表示された画像情報において選択された範囲を画像情報の選択範囲として設定する範囲設定部９０１と、範囲設定部９０１により設定された選択範囲における画像情報の編集内容を設定する内容設定部９０２と、選択範囲における画像情報に保持されるテキスト情報及び内容設定部９０２により設定された画像情報の編集内容に基づいて、選択範囲における画像情報を編集する編集部９０３と、編集部９０３により編集された画像情報を表示部７１１に表示させる表示制御部９０４と、を備える。そのため、選択範囲における画像情報を、画像情報が保持するテキスト情報に基づいて編集することができる。これにより、表示部７１１に表示される画像情報について、選択された範囲の画像情報において、拡大した後（編集後）における画像情報の視認性を向上させることができる。
【００５６】
また、本実施形態の画像処理装置１００においては、内容設定部９０２により設定される編集内容は、画像情報の拡大である。また、編集部９０３は、選択範囲における画像情報を拡大すると共に、選択範囲の範囲外の画像情報に保持されるテキスト情報に基づいて、選択範囲の範囲外の画像情報の全てを表示部７１１の表示領域に表示させるように、選択範囲の範囲外における画像情報を編集する。そのため、選択範囲の範囲外の画像情報の全てを表示させるように編集して、選択範囲の範囲外の画像情報の欠落を防止することができる。従って、表示部７１１に表示される画像情報について、拡大する際には、選択範囲の画像情報について拡大でき且つ拡大した範囲外についても画像情報を欠落させずに、表示部７１１に表示させることができる。その結果、表示部７１１に表示される画像情報において、編集後における画像情報の視認性を向上させることができる。
【００５７】
また、本実施形態の画像処理装置１００においては、表示部７１１に表示される表示領域のサイズ及び選択範囲のサイズに基づいて、画像情報を拡大する際における選択範囲の画像情報の拡大サイズ又は拡大率の上限を設定する上限設定部９０５を更に備え、内容設定部９０２は、上限設定部９０５により設定された拡大サイズ又は拡大率の上限よりも大きい選択範囲の画像情報の拡大サイズ又は拡大率を設定できない。そのため、内容設定部９０２は、選択範囲の範囲外の画像情報が表示部７１１の表示領域に表示しきれない拡大サイズ又は拡大率において、画像情報を拡大することができない。これにより、画像情報を欠落せずに表示できる範囲で、表示部７１１に表示される画像情報において、編集後における画像情報の視認性を向上させることができる。
【００５８】
なお、本発明は、上述した実施形態に限定されることはなく、種々の形態で実施することができる。
前述の実施形態においては、表示部７１１に表示される画像情報において、選択範囲の画像情報を拡大する場合について説明したが、これに制限されない。例えば、図７に示すように、表示部７１１に表示される画像情報において、選択範囲の画像情報を縮小することもできる。図７は、コピー機１の他の実施形態であって、選択範囲の画像情報を縮小する場合について説明する図である。
また、表示部７１１に表示される画像情報の選択範囲の画像情報において、文字のフォントを変更したり、画像情報の色を変更したり、画像情報の濃度を変更することもできる。
これらの編集内容の場合には、編集部９０３は、テキスト情報が保持された画像情報に基づいて、選択範囲の画像情報を縮小したり、文字のフォントを変更したり、画像情報の色を変更したり、画像情報の濃度を変更したりすることができる。従って、前述の実施形態における選択範囲の画像情報を拡大する場合と同様に、表示部７１１に表示される画像情報において、編集後における画像情報の視認性を向上させることができる。
【００５９】
また、前述の実施形態においては、編集内容を１つ設定する場合（選択範囲の画像情報を拡大する場合）について説明したが、これに制限されず、複数の編集内容を設定して、複数の編集内容を同時に実行するようにしてもよい。例えば、同一の選択範囲において、文字のフォントの変更と画像情報の色の変更とを同時に行うように編集内容を設定してもよい。
【００６０】
また、前述の実施形態においては、原稿読取部２０により読み取った画像データをテキスト形式の画像情報に変換して、そのテキスト形式の画像情報を編集しているが、これに制限されない。例えば、ＰＣ（パーソナルコンピューター）等の外部機器から入力されたテキスト形式の画像情報を表示部７１１に表示させて、そのテキスト形式の画像情報を編集するように構成してもよい。
【００６１】
また、前述の実施形態においては、１つの選択範囲を設定して編集する場合について説明したが、これに制限されず、複数の選択範囲を設定して編集してもよい。複数の選択範囲を設定して編集する場合には、内容設定部９０２は、複数の選択範囲それぞれに異なる編集内容を設定することもできる。
【００６２】
本実施形態においては、画像処理装置１００がコピー機１に搭載される場合について説明した。しかしながら、本発明の画像処理装置１００は、現金自動預け払い機、自動販売機、自動券売機、携帯電話機、携帯情報端末、デジタルゲーム機、携帯オーディオプレーヤー、カーナビゲーション装置等の電子機器に搭載されてもよい。
【００６３】
また、本実施形態のコピー機１は、カラーコピー機であるが、この形態に限定されることはなく、モノクロコピー機であってもよい。
また、本実施形態のコピー機１は、中間転写ベルト４８を介して用紙Ｔにトナー画像を転写している（間接転写方式）が、この形態に限定されることはなく、感光体ドラムに形成されたトナー画像を直接に用紙Ｔに転写してもよい（直接転写方式）。
また、本実施形態のコピー機１は、用紙Ｔの片面を印刷する構成であるが、これに限定されることはなく、用紙の両面を印刷する構成であってもよい。
【００６４】
また、本発明の画像形成装置は、上述したコピー機１に限定されることはない。すなわち、本発明の画像形成装置は、コピー機能、ファクシミリ機能、プリンター機能及びスキャナー機能を備える複合機であってもよく、ファクシミリやプリンターであってもよい。
また、本発明の画像形成装置によってトナー画像が定着される被画像形成媒体は用紙Ｔに限定されることはなく、例えば、ＯＨＰ（オーバヘッドプロジェクター）シート等のフィルムシートであってもよい。
【符号の説明】
【００６５】
１…コピー機（画像形成装置）、１００…画像処理装置、７１１…表示部、９０１…範囲設定部、９０２…内容設定部、９０３…編集部、９０４…表示制御部、９０５…上限設定部
【図１】
2013030916.tif 000003
【図２】
2013030916.tif 000004
【図３】
2013030916.tif 000005
【図４】
2013030916.tif 000006
【図５】
2013030916.tif 000007
【図６】
2013030916.tif 000008
【図７】
2013030916.tif 000009